(57)【特許請求の範囲】
【請求項１】
対話部、対象設定部、および、情報取得部を備え、
前記対話部、および、前記情報取得部は、前記対象設定部に接続され、
前記対話部は、
対象者から情報を取得する情報受信部、および、対象者に対して情報を提示する情報提示部を備える、対話型創造活動支援装置であって、
前記対象設定部は、
前記対話部において取得した情報に基づいて対象を決定する対象調整部、
決定した対象を記憶する対象記憶部、および、
比較部を備え、
前記情報取得部は、
有線または無線により、外部に対して、前記対象設定部において決定した対象に関する情報を検索する情報検索部、および、
検索した結果である検索結果情報を記憶する検索結果記憶部を備え、
前記比較部は対象と前記検索結果情報とを比較し、前記対象と前記検索結果情報との差異を含む比較結果を生成し、
前記対話部はさらに、前記比較結果を、前記情報提示部を通じて対象者に提示し、対象者からの情報を、前記情報受信部を通じて取得し、
前記対象調整部は、前記情報受信部を通じて取得した結果に基づいて、対象を決定することを特徴とする、対話型創造活動支援装置。
【請求項２】
前記比較部は
複数の語句を同義語として保存する同義語記憶部を有し、
前記比較部は、前記同義語記憶部を参照して、前記対象と、検索結果情報との差異を決定することを特徴とする、請求項１に記載の対話型創造活動支援装置。
【請求項３】
前記同義語記憶部は、対象者、または、技術分野ごとに設けられることを特徴とする、請求項２に記載の対話型創造活動支援装置。
【請求項４】
前記比較部は
前記情報受信部において取得した対象者からの情報に基づいて、前記同義語記憶部に保存されている同義語を修正する、同義語修正部を備えることを特徴とする、請求項２または３のいずれかに記載の対話型創造活動支援装置。
【請求項５】
前記情報提示部および前記情報受信部は音声機器を有する、請求項１ないし４のいずれかに記載の対話型創造活動支援装置。
【請求項６】
前記情報取得部は、外部接続切替部をさらに備え、
前記外部接続切替部は、前記対象調整部が対象を調整した後に所定期間だけ外部と接続した後、外部との接続を遮断する、請求項１ないし５のいずれかに記載の対話型創造活動支援装置。
【請求項７】
前記情報取得部は、該当情報記憶部を備え、
前記該当情報記憶部は外部からの情報を記憶し、
前記検索結果記憶部は前記該当情報記憶部に記憶された外部からの情報に基づいて前記検索結果情報を生成する、請求項６に記載の対話型創造活動支援装置。
【請求項８】
前記情報取得部は、前記外部接続切替部に接続された外部接続判断部をさらに備え、
前記外部接続判断部は、検索の後、前回の検索の対象と今回の検索の対象を比較して、外部との接続が必要か判断するものであり、
前記外部接続切替部は、前記外部接続判断部から送信される外部接続信号に応じて外部との接続と遮断の切り替えを行う、請求項７に記載の対話型創造活動支援装置。
【発明の詳細な説明】
【技術分野】
【０００１】
本発明は、対話型創造活動支援装置およびそのプログラムに関する。
【背景技術】
【０００２】
従来、検討する技術に近い技術情報を検索する手法が検討されている。
特許文献１には、入力された情報に対し、文献を探索する検索システムが記載されている。
【先行技術文献】
【特許文献】
【０００３】
【特許文献１】特開２００３−２２３４６１号公報
【発明の概要】
【発明が解決しようとする課題】
【０００４】
例えば研究開発を行う場合、あるいは、発明を検討する場合、一度情報を得るだけではなく、繰り返し情報を得て、内容を検討していくことが求められている。 また、繰り返し情報を得る際に煩雑な作業や時間が必要となればなるほど、検討が中断されてしまい、着想を忘れるなどの原因により、研究開発や発明の検討がうまくいかなくなることが多い。
例えば、端末を使って得たい情報を入力する作業、得た情報を読み込んで比較する作業なども、検討を中断する要因となる。実際の研究開発の現場では、端末から離れて作業しながら、あるいは、端末を介してプログラミングなどを行いながら、生じた着想を、作業やプログラミングなどの手を止めることなく、検討することが求められる。
特許文献１には、検索システムが記載されているが、毎回端末を介して入力し、検索した結果を読み込む作業が求められる。なお、特許文献１の段落００２４には音声についても触れられているが、「音声により入力されてもよい」と述べられているのみである。
そこで、本発明は、煩雑な作業や時間を要することなく、得たい情報を繰り返し得ることにより、研究開発などの創造活動をスムーズに行うことができ、検討を重ねていく実際の研究開発の現場により即した、支援装置やプログラムを提供することを目的とする。
【課題を解決するための手段】
【０００５】
上述の課題を解決するため、 本発明の請求項１に係る対話型創造活動支援装置は、対話部、対象設定部、および、情報取得部を備え、
前記対話部、および、前記情報取得部は、前記対象設定部に接続され、
前記対話部は、
対象者に対して情報を提示する情報提示部、および、対象者から情報を取得する情報受信部を備える、対話型創造活動支援装置であって、
前記対象設定部は、
前記対話部において取得した情報に基づいて対象を調整する対象調整部、
調整した対象を記憶する対象記憶部、および、
比較部を備え、
前記情報取得部は、
有線または無線により、外部に対して、前記対象設定部において決定した対象に関する情報を検索する情報検索部、および、
検索した結果である検索結果情報を記憶する検索結果記憶部を備え、
前記比較部は対象と前記検索結果情報とを比較し、前記対象と前記検索結果情報との差異を含む比較結果を生成し、
前記対話部はさらに、前記比較結果を、前記情報提示部を通じて対象者に提示し、対象者からの情報を、前記情報受信部を通じて取得し、
前記対象調整部は、前記情報受信部を通じて取得した結果に基づいて、対象を決定することを特徴とする、対話型創造活動支援装置である。
本構成により、煩雑な作業や時間を要することなく、得たい情報を繰り返し得ることにより、研究開発などの創造活動をスムーズに行うことができ、検討を重ねていく実際の研究開発の現場により即した、支援装置を提供することが可能となる。
また、比較部を有し、比較結果が対象者に提示されるため、対象者は必要なポイントに思考を集中することができ、研究開発などの創造活動を効率よく行うことができる。
本発明の請求項２に係る対話型創造活動支援装置は、
前記比較部は
複数の語句を同義語として保存する同義語記憶部を有し、
前記比較部は、前記同義語記憶部を参照して、前記対象と、検索結果情報との差異を決定することを特徴とする、請求項１に記載の対話型創造活動支援装置である。
本構成により、同義語記憶部において保存されている同義語の情報に基づき、情報提示部において、対象者に、より正確に差異を示すことができる。
本発明の請求項３に係る対話型創造活動支援装置は、
前記同義語記憶部は、対象者、または、技術分野ごとに設けられることを特徴とする、請求項２に記載の対話型創造活動支援装置である。
本構成により、同義語記憶部において保存されている同義語の情報を、対象者、または、技術分野に応じて、より正確にでき、したがって、情報提示部において、対象者に、より正確に差異を示すことができる。
本発明の請求項４に係る対話型創造活動支援装置は、
前記比較部は
前記情報受信部において取得した対象者からの情報に基づいて、前記同義語記憶部に保存されている同義語を修正する、同義語修正部を備えることを特徴とする、請求項２または３のいずれかに記載の対話型創造活動支援装置である。
本構成により、対象者からのフィードバックにより、同義語記憶部において保存されている同義語の情報を、より正確にでき、情報提示部において、対象者に、より正確に差異を示すことができる。
本発明の請求項５に係る対話型創造活動支援装置は、
前記情報提示部および前記情報受信部は音声機器を有する、請求項１ないし４のいずれかに記載の対話型創造活動支援装置である。
本構成により、例えば、スピーカーとマイクを備えた箱形の装置などの簡単な音声機器だけで、対話型創造活動支援装置を実現することができる。特に、音声によるやり取りでは、ディスプレイなどを用いた場合に比べて、対象者の記憶できる量が限られ、検索結果をただ読み上げられるだけでは理解が困難となる場合が多いが、本構成では比較部を備え、比較結果を提示されることから、対象者も検討が容易となり、実用的な構成となる。
本発明の請求項６に係る対話型創造活動支援装置は、
前記情報取得部は、外部接続切替部をさらに備え、
前記外部接続切替部は、前記対象調整部が対象を調整した後に所定期間だけ外部と接続した後、外部との接続を遮断する、請求項１ないし５のいずれかに記載の対話型創造活動支援装置である。
本構成により、外部の情報を得る期間のみ、外部と接続するので、外部から不正なアクセスを受ける可能性が少なくなる。
本発明の請求項７に係る対話型創造活動支援装置は、
前記情報取得部は、該当情報記憶部を備え、
前記該当情報記憶部は外部からの情報を記憶し、
前記検索結果記憶部は前記該当情報記憶部に記憶された外部からの情報に基づいて前記検索結果情報を生成する、請求項６に記載の対話型創造活動支援装置である。
本構成により、外部から得た情報を、該当情報記憶部に記憶した後、すぐに外部との接続を遮断することができ、外部から不正なアクセルを受ける可能性がさらに減少する。
本発明の請求項８に係る対話型創造活動支援装置は、
前記情報取得部は、前記外部接続切替部に接続された外部接続判断部をさらに備え、
前記外部接続切替部は、前記外部接続判断部から送信される外部接続信号に応じて外部との接続の切り替えを行う、請求項７に記載の対話型創造活動支援装置である。
本構成により、必要な場合にのみ、外部に接続するため、外部から不正なアクセスを受ける可能性が低減される。また、外部との通信量を減らし、情報を得る速度を向上させることができる。
本発明の請求項９に係る対話型創造活動支援装置は、
前記対象記憶部は、
対象本体を記憶する対象本体記憶部、および、
対象の深度値を記憶する対象深度記憶部を備え、
前記対象調整部は、前記対象本体および対象の前記深度値に基づいて外部との接続の切り替えを行う、請求項７または８のいずれかに記載の対話型創造活動支援装置である。
本構成により、簡単な判断により、必要な場合にのみ外部に接続するため、外部から不正なアクセスを受ける可能性が低減される。また、外部との通信量を減らし、情報を得る速度を向上させることができる。
本発明の請求項１０に係る対話型創造活動支援装置は、
前記対象記憶部は、
対象本体を記憶する対象本体記憶部、および、
対象の深度値を記憶する対象深度記憶部を備え、
前記対話部は、前記対象本体および対象の前記深度値に基づいて前記情報提示部において対象者に情報を提示する、請求項７または８のいずれかに記載の対話型創造活動支援装置である。
本構成により、対象者に、対象をより分かりやすく提示することができる。
本発明の請求項１１に係る対話型創造活動支援装置は、
前記対象記憶部は、
対象本体を記憶する対象本体記憶部、および、
対象の深度値を記憶する対象深度記憶部を備え、
前記対象調整部は、前記対象本体および対象の前記深度値に基づいて外部との接続の切り替えを行い、前記対話部は、前記対象本体および対象の前記深度値に基づいて前記情報提示部において対象者に情報を提示する、請求項７または８のいずれかに記載の対話型創造活動支援装置である。
本構成により、簡単な判断により、必要な場合にのみ外部に接続するため、外部から不正なアクセスを受ける可能性が低減される。また、外部との通信量を減らし、情報を得る速度を向上させることができる。また、対象者に、対象をより分かりやすく提示することができる。
本発明の請求項１２に係る対話型創造活動支援装置は、
前記情報提示部は対象者反応確認部を備え、
前記対象者反応確認部は、対象者からの反応に基づいて肯定度合いを示す肯定度を算出し、
前記肯定度が肯定基準値以上である場合は、対象の前記深度値を増加させ、
前記肯定度が否定基準値以下である場合は、対象の前記深度値を減少させる、請求項９ないし１１のいずれかに記載の対話型創造活動支援装置である。
本構成により、対象者が情報を入力するより前に、より対象者の反応に応じた対応ができ、創造活動をさらに加速することができる。
本発明の請求項１３に係る対話型創造活動支援装置は、
前記情報提示部または前記情報受信部はさらに、動作部を有する、請求項１ないし１２のいずれかに記載の対話型創造活動支援装置である。
本発明の請求項１４に係る対話型創造活動支援装置は、
対象者状態判断部をさらに備え、
前記対象者状態判断部は、対象者状態取得部および対象者状態適合化部を有し、
前記対象者状態取得部は、
対象者の光学情報を取得する光学情報取得部、または、
対象者の音声を取得する音声情報取得部を有し、
前記対象者状態適合化部は、
対象者の状態が、設定された状態に適合するまで、所定の動作を行う適合化動作部を有する、請求項１ないし１３のいずれかに記載の対話型創造活動支援装置である。
本構成により、対象者が興奮しすぎている場合は落ち着かせる、対象者が緊張しすぎている場合はリラックスさせるなど、対象者を最適な状態に近づけた上で、創造活動の支援を行うことができる。
本発明の請求項１５に係る対話型創造活動支援装置は、請求項１ないし１４のいずれかに記載の動作を実行するプログラムである。
【図面の簡単な説明】
【０００６】
【図１】本発明の一実施例における、対話型創造活動支援装置の構成例を示す。
【図２】本発明の一実施例における、比較部の構成例を示す。
【図３】本発明の一実施例における、比較部の構成例を示す。
【図４】本発明の一実施例における、比較部の構成例を示す。
【図５】本発明の一実施例における、対話部の構成例を示す。
【図６】本発明の一実施例における、対話型創造活動支援装置の構成例を示す。
【図７】本発明の一実施例における、対話型創造活動支援装置の構成例を示す。
【図８】本発明の一実施例における、対話型創造活動支援装置の構成例を示す。
【図９】本発明の一実施例における、外部接続判断部の動作を説明する。
【図１０】本発明の一実施例における、外部接続判断部の動作を説明する。
【図１１】本発明の一実施例における、外部接続判断部の動作を説明する。
【図１２】本発明の一実施例における、外部接続判断部の動作を説明する。
【図１３】本発明の一実施例における、対話型創造活動支援装置の構成例を示す。
【図１４】本発明の一実施例における、対象本体記憶部および対象深度記憶部の説明を示す。
【図１５】本発明の一実施例における、対象本体記憶部および対象深度記憶部の説明を示す。
【図１６】本発明の一実施例における、対象本体記憶部および対象深度記憶部の説明を示す。
【図１７】本発明の一実施例における、対象本体記憶部および対象深度記憶部の説明を示す。
【図１８】本発明の一実施例における、情報提示部の提示の例を示す。
【図１９】本発明の一実施例における、対話型創造活動支援装置の構成例を示す。
【図２０】本発明の一実施例における、対話型創造活動支援装置の構成例を示す。
【図２１】本発明の一実施例における、対話型創造活動支援装置の構成例を示す。
【図２２】本発明の一実施例における、対話型創造活動支援装置の構成例を示す。
【図２３】本発明の一実施例における、対象者状態判断部の構成例を示す。
【図２４】本発明の一実施例における、対象者状態判断部の構成例を示す。
【図２５】本発明の一実施例における、対象者状態判断部の構成例を示す。
【発明を実施するための形態】
【０００７】
図１は、本発明の一実施例における、対話型創造活動支援装置１の構成例を示す。
対話型創造活動支援装置１は、対話部２００、対象設定部３００、および、情報取得部４００を備える。
対話部２００、および、情報取得部４００は、対象設定部３００に接続されている。
対話部２００は、チャットやタッチパネルなどの文字表示、スピーカーなどの音声機器２３０、ディスプレイや音声などにより通信を行うロボットなど、図示しない対象者と双方向の情報の送受信を行うものであって、対象者に対して情報を提示する情報提示部２１０、および、対象者から情報を取得する情報受信部２２０を備える。
対象設定部３００は、対話部２００において取得した情報に基づいて対象３を調整する対象調整部３１０、調整した対象３を記憶する対象記憶部３２０、および、比較部３３０を備える。
情報取得部４００は、情報検索部４１０および検索結果記憶部４２０を備える。
有線または無線により、インターネットなどの外部４９０に対して対象設定部３００において決定した対象３に関する情報を検索する。また、検索結果記憶部４２０は、検索した結果である検索結果情報を記憶する。
比較部３３０は対象と検索結果情報とを比較し、対象と検索結果情報との差異を含む比較結果を生成する。
例えば、対象者が、対象として、アルミ製の車体と、モーターと、ゴム製のタイヤを備えた電気自動車を設定したとする。そして、検索の結果、鉄製の車体、モーターと、ゴム製のタイヤを備えた電気自動車が見つかったとする。このとき、例えば「アルミ製の車体の代わりに、鉄製の車体を備えたものがあります」のように、差異を伝えることができるため、対象者は、対象と検索結果との相違を容易に把握することができる。
対話部２００は、比較結果を、情報提示部２１０を通じて対象者に提示し、対象者からの情報を、情報受信部２２０を通じて取得する。
対象調整部３１０は、情報受信部２２０を通じて取得した結果に基づいて、対象３を調整する。
【０００８】
本構成により、煩雑な作業や時間を要することなく、得たい情報を繰り返し得ることにより、研究開発などの創造活動をスムーズに行うことができ、検討を重ねていく実際の研究開発の現場により即した、支援装置を提供することが可能となる。
また、比較部を有し、比較結果が対象者に提示されるため、対象者は必要なポイントに思考を集中することができ、研究開発などの創造活動を効率よく行うことができる。
【０００９】
図２は本発明の一実施例における、比較部の構成例を示す。
本実施例において、比較部３３０は、複数の語句を同義語として保存する同義語記憶部３３１を有する。
そして、比較部３３０は、同義語記憶部３３１を参照して、対象と、検索結果情報との差異を決定する。
例えば、対象者が、対象として、アルミ製のボディと、モーターと、ゴム製のタイヤを備えた電気自動車を設定したとする。そして、検索の結果、鉄製の車体、モーターと、ゴム製のタイヤを備えたEVが見つかったとする。このとき、比較部３３０は、同義語記憶部３３１を参照する。同義語記憶部３３１において、ボディと車体は同義語であり、電気自動車とEVは同義語であると登録されていれば、差異は、ボディがアルミ製か鉄製かの点になる。このため、例えば「アルミ製のボディの代わりに、鉄製のボディを備えたものがあります」のように、差異を伝えることができるため、対象者は、対象と検索結果との相違を容易に把握することができる。
本構成により、同義語記憶部において保存されている同義語の情報に基づき、情報提示部において、対象者に、より正確に差異を示すことができる。
【００１０】
図３は本発明の一実施例における、比較部の構成例を示す。
本実施例において、同義語記憶部３３１は複数設けられ、具体的には、対象者、または、技術分野ごとに設けられている。
例えば、対象者や技術分野によって、言葉の意味が異なることがある。例えば、車体とボディは、自動車の分野においては同義語であっても、化粧品の分野では同義語でない場合がある。
本構成により、同義語記憶部３３１において保存されている同義語の情報を、対象者、または、技術分野に応じて、より正確にでき、したがって、情報提示部２１０において、対象者に、より正確に差異を示すことができる。
【００１１】
図３は本発明の一実施例における、比較部の構成例を示す。
本実施例において、比較部３３０は、情報受信部２２０において取得した対象者からの情報に基づいて、前記同義語記憶部３３１に保存されている同義語を修正する、同義語修正部３３２を備える。同義語修正部３３２は同義語記憶部３３１に接続されている。
例えば、前述の例で、ボディと車体とが同義語であるか登録されていなかった場合、情報提示部２１０は「アルミ製のボディの代わりに、鉄製の車体を備えたものがあります」と対象者に伝える。これに対し、対象者は「ボディと車体は同じだよ」と述べると、情報受信部２２０を通じてボディと車体が同義語であるとして、同義語記憶部３３１における同義語の辞書が修正される。対象者や技術分野ごとに用語が異なることがあるが、本構成により、対象者の技術分野に合わせて同義語の辞書を修正していくことができる。
本構成により、対象者からのフィードバックにより、同義語記憶部において保存されている同義語の情報を、より正確にでき、情報提示部において、対象者に、より正確に差異を示すことができる。
【００１２】
図５は、本発明の一実施例における対話部２００の構成例を示す。
本実施例において、対話部２００における情報提示部２１０および情報受信部２２０は音声機器２３０を有する。
例えば、スピーカーとマイクを備えた箱形の装置などの簡単な音声機器２３０だけで、対話型創造活動支援装置１を実現することができる。
対象者が端末の表示画面を見て対象と検索結果を比べるものと異なり、本実施例では音声で情報を提示する。このため、対象者はわざわざ端末の前に座ってキーボードなどにより操作することなく情報を得ることができる。しかし、音声により情報を得る場合には、聞いた情報を頭で記憶する必要があるため、対象と検索結果を単に読み上げただけでは、端末の表示画面をじっくり見比べる場合に比べて、相違点がわかりにくくなる場合が多い。
しかし、本実施例では、比較部３３０が比較結果を生成し、対話部２００は、比較結果を、情報提示部２１０を通じて対象者に提示するため、対象者は検討が容易となり、実用的な構成となる。
また、例えば、スピーカーとマイクを備えた箱形の装置などの簡単な音声機器２３０だけで、対話型創造活動支援装置１を実現することができる。
【００１３】
図６は、本発明の一実施例における、対話型創造活動支援装置１の構成例を示す。
本実施例において、情報取得部４００は、外部接続切替部４３０をさらに備える。
外部接続切替部４３０は、対象調整部３１０が対象３を決定した後に所定期間だけ外部４９０と接続した後に外部４９０との接続を遮断する。具体的には、外部の情報４９１を取得し終えた後、外部４９０との接続を遮断する。以下、外部の情報を、外部からの情報、外部情報などと呼ぶことがある。
本構成により、外部の情報４９１を得る期間のみ、外部４９０と接続するので、外部から不正なアクセスを受ける可能性が少なくなる。
【００１４】
図７は、本発明の一実施例における、対話型創造活動支援装置１の構成例を示す。
情報取得部４００は、該当情報記憶部４４０を備える。
該当情報記憶部４４０は外部からの情報を記憶する。
【００１５】
検索結果記憶部４２０は該当情報記憶部４４０に記憶された外部からの情報に基づいて検索結果情報を生成する。
本構成により、外部から得た情報を、該当情報記憶部４４０に記憶した後、すぐに外部との接続を遮断することができ、外部から不正なアクセルを受ける可能性がさらに減少する。
【００１６】
図８は、本発明の一実施例における、対話型創造活動支援装置１の構成例を示し、図９から図１２は、本実施例における、外部接続判断部４５０の動作を説明する。
図８に示されるように、情報取得部４００は、外部接続切替部４３０に接続された外部接続判断部４５０をさらに備える。外部接続切替部４３０は、外部接続判断部４５０から送信される外部接続信号に応じて外部４９０との接続の切り替えを行う。
【００１７】
外部接続判断部４５０は、外部接続が必要かどうかを判断する。以下、判断の例を示す。
図９に示されるように前回情報を取得した対象３が要素Ａと要素Ｂからなっていた場合を考える。以下、この場合を「要素Ａと要素Ｂ」と示す。
外部接続判断部４５０は、次の対象３が図１０に示されるように、要素Ａと要素Ｘである場合、要素Ｂと要素Ｘは異なるため、前回情報を得た情報に、今回情報を得たい情報が包含されない。このため、外部接続が必要であると判断し、外部接続切替部４３０に外部接続信号を発し、外部からの情報を得る。
【００１８】
外部接続判断部４５０は、次の対象３が図１１に示されるように、要素Ａと要素Ｂ＋である場合、要素Ｂ＋が要素Ｂの下位概念、つまり、要素Ｂに含まれる概念である場合は、前回情報を得た情報に、今回情報を得たい情報が包含されるため、外部接続が不要であると判断し、外部接続切替部４３０に外部接続信号を発さず、該当情報記憶部４４０に記憶されている外部情報から今回の情報を得る。なお、以下、要素Ｂ＋は要素Ｂの下位概念を示す。上位概念、下位概念の関係は、予め用語を集めた辞書を準備しておいてもよい。また、対象者ごとに修正を加えてもよい。
次の対象３が図１２に示されるように、要素Ａと要素Ｂと要素Ｃである場合にも、前回情報を得た情報に、今回情報を得たい情報が包含されるため、外部接続が不要であると判断し、外部接続切替部４３０に外部接続信号を発さず、該当情報記憶部４４０に記憶されている外部情報から今回の情報を得る。
本構成により、必要な場合にのみ、外部に接続するため、外部から不正なアクセスを受ける可能性が低減される。また、外部との通信量を減らし、情報を得る速度を向上させることができる。
【００１９】
図１３は、本発明の一実施例における、対話型創造活動支援装置１の構成例を示し、図１４から図１７は本実施例における対象本体記憶部３２１および対象深度記憶部３２２の説明を示す。
図１３に示されるように、対象記憶部３２０は、対象本体記憶部３２１および対象深度記憶部３２２を備える。
図１４に示されるように、対象本体記憶部３２１は、対象本体を記憶する。また、対象深度記憶部３２２は、対象の深度値を記憶する。
【００２０】
前回の対象である要素Ａと要素Ｂに対して、図１５に示されるように今回の対象３が要素Ａと要素Ｘであった場合、前回の要素Ａと今回の要素Ａは同一のため要素深度Ａは０と記憶され、前回の要素Ｂと今回の要素Ｘは異なるため、要素深度Ｘは−１と記憶される。そして、Ｘの要素深度が−１のため、外部接続判断部４５０は外部接続が必要であると判断し、外部接続切替部４３０に外部接続信号を発し、外部からの情報を得る。
図１６に示されるように今回の対象３が要素Ａと要素Ｂ＋であった場合、前回の要素Ａと今回の要素Ａは同一のため要素深度Ａは０と記憶され、前回の要素Ｂに対して今回の要素Ｂ＋は下位概念のため、要素深度Ｂ＋は＋１と記憶される。そして、今回の要素深度はＡ，Ｂ＋とも０以上のため、外部接続判断部４５０は外部接続が不要であると判断し、外部接続切替部４３０に外部接続信号を発さず、該当情報記憶部４４０に記憶されている外部情報から今回の情報を得る。
【００２１】
次の対象３が図１７に示されるように、要素Ａと要素Ｂと要素Ｃである場合には、前回の対象のうち要素Ａは今回の対象のうち要素Ａと同一であり、前回の対象のうち要素Ｂは今回の対象のうち要素Ｂと同一であり、前回の対象の要素Ａ、要素Ｂのいずれも今回の対象の要素に含まれている。さらに、要素Ｃにおいて対象３が限定されているため、要素深度Cは０と記憶される。そして、今回の要素深度はＡ, Ｂ, Cとも０以上のため、外部接続判断部４５０は外部接続が不要であると判断し、外部接続切替部４３０に外部接続信号を発さず、該当情報記憶部４４０に記憶されている外部情報から今回の情報を得る。
本構成により、簡単な判断により、必要な場合にのみ外部に接続するため、外部から不正なアクセスを受ける可能性が低減される。また、外部との通信量を減らし、情報を得る速度を向上させることができる。
【００２２】
図１８は、本発明の一実施例における、情報提示部２１０の提示の例を示す。
本実施例では、情報提示部２１０はチャットやタッチパネルなど文字を表示できる装置を備えるものとする。
対象３が要素Ａと要素Ｂであり、検索結果が要素Ａと要素Ｂ＋であった場合、対象の要素Ａが深度０、要素Ｂが深度０として、検索結果の要素Ａが深度０、要素Ｂが深度＋１であるため、要素Ｂ＋の深度値が高い。そこで、情報提示部２１０は、要素Ｂ＋を、例えば濃い色で表示するなど、深度値と共に提示する。同様に前回の対象のうちの要素Ｂが、今回の対象３において要素Ｘに置き換わった場合、要素深度Ｘは−１となるため、要素深度が−１の要素も別の色で表示するなど、深度値と共に提示するものとしてもよい。
情報提示部２１０が音声機器を備える場合には、例えば、「要素Ｂとして、具体的には要素Ｂ＋があります」、あるいは、「要素Ｂの代わりに要素Ｘを備えたものがあります」などと伝える。
本構成により、対象者に、対象をより分かりやすく提示することができる。
【００２３】
図１９は、本発明の一実施例における、対話型創造活動支援装置１の構成例を示す。
情報提示部２１０は対象者反応確認部２１１を備える。
対象者反応確認部２１１は、対象者からの反応に基づいて肯定度合いを示す肯定度を算出する。そして、肯定度が肯定基準値以上である場合は、対象の深度値を増加させ、肯定度が否定基準値以下である場合は、対象の深度値を減少させる。
【００２４】
例えば、対象者が首を縦に振っている場合、あるいは、「そうそう」「それそれ」「そのとおり」「そんな感じ」など事前に登録されている肯定の根拠となる発言をしている場合、肯定度は高く算出される。そして、情報取得部４００は下位概念などより具体的な要素などを検索し、「例えば要素Ｂ＋があるよ」など、対象者の考えをより下位概念にするなど具体的にすることができる。
また、対象者が首を横に振っている場合、あるいは、「それではないんだけどな」「ちょっと違うな」「しっくりこないな」など事前に登録されている否定の根拠となる発言をしている場合、肯定度は低く算出される。そして、情報取得部４００は上位概念などより抽象的、あるいは、前回とは異なる要素を検索し「例えば要素Ｘや要素Ｙがあるよ」など、対象者に異なる考えを提示することができる。
本構成により、対象者が情報を入力するより前に、より対象者の反応に応じた対応ができ、創造活動をさらに加速することができる。
【００２５】
図２０、図２１は、本発明の一実施例における、対話型創造活動支援装置１の構成例を示す。
本実施例において、対話型創造活動支援装置１はロボットである。
【００２６】
ロボットは情報受信部２２０としてスピーカーなどの音声機器２３０、および、動作部２４０を備える。また、情報提示部２１０としてマイクなどの音声機器２３０、および、動作部２４０を備える。さらに、情報受信部２２０はキーボードなどの入力装置２２２、情報提示部２１０は投影機やディスプレイなどの表示装置２１２を備えてもよい。
情報受信部２２０としての動作部２４０では、ロボットの手をつかんで、「これくらいの幅」「これくらいの速さで」など、動作を再現することで、情報を受信することができる。情報提示部２１０としての動作部２４０では、ロボットの手により、「これくらいの幅で動くよ」「これくらいの速さで動くよ」、あるいは、ロボット自身が回転することにより、「これくらいの速さで回るよ」など、対象者がより実感しやすい動作により情報を提示することができる。
【００２７】
ロボットにおいて動作部２４０を備える場合は、手を上げるなど様々なジェスチャーが出来る。そのため応答の表現の幅が広がる。
また、アイデアや創造活動は他人には秘匿するべきことであり、相談し辛い傾向にある。そのため、孤独感を抱くことがある。しかし、本発明では音声を用いるため、孤独感を癒しやすい。特に、ロボットの場合、ロボットと会話することで、孤独感を癒す効果が大きく、創造活動がより促進できる。
【００２８】
図２２は、本発明の一実施例における、対話型創造活動支援装置１の構成例を示す。
本実施例において、対話型創造活動支援装置１は対象者状態判断部５００をさらに備える。
【００２９】
対象者状態判断部５００は、対象者状態取得部５１０および対象者状態適合化部５２０を有する。なお、なお、本明細書および図面では、対象者状態適合化部５２０を状態適合化部５２０と略す場合がある。
対象者状態取得部５１０は、光学情報取得部５１１または音声情報取得部５１２を備える。
【００３０】
図２３は、本発明の一実施例における対象者状態判断部５００の構成例を示す。
本実施例において、対象者状態取得部５１０は光学情報取得部５１１であり、対象者の光学情報を取得し、眼、脈、熱画像などで対象者の状態を判断する。
【００３１】
また、対象者状態適合化部５２０は光学機器であり、対象者の状態が、設定された状態に適合するまで、待機する、映像を流すなどの所定の動作を行う。
本構成により、対象者が興奮しすぎている場合は落ち着かせる、対象者が緊張しすぎている場合はリラックスさせるなど、対象者を最適な状態に近づけた上で、創造活動の支援を行うことができる。
【００３２】
図２４は、本発明の一実施例における対象者状態判断部５００の構成例を示す。
本実施例において、対象者状態取得部５１０は音声情報取得部５１２であり、対象者の音声を取得し、声の高低、速さ、話し内容などで対象者の状態を判断する。
また、対象者状態適合化部５２０は音響機器であり、対象者の状態が、設定された状態に適合するまで、話しをする、音楽を流すなどの所定の動作を行う。
【００３３】
本構成により、対象者が興奮しすぎている場合は落ち着かせる、対象者が緊張しすぎている場合はリラックスさせるなど、対象者を最適な状態に近づけた上で、創造活動の支援を行うことができる。
特に、音声では、会話の内容や気持ちに応じて、音声のトーンや音色を変更できるので、より温かみのある会話などが可能となる。例えば、対象者状態適合化部５２０や対話部２００に、トーン調整部を設けることもできる。
【００３４】
図２５は、本発明の一実施例における対象者状態判断部５００の構成例を示す。
本実施例において、対象者状態取得部５１０は光学情報取得部５１１および音声情報取得部５１２を有し、対象者の状態を判断する。
【００３５】
また、対象者状態適合化部５２０は、 光学機器、音響機器に加えて、環境機器、および、適合化動作部５２１としての動作機器を有する。環境機器は、対象者の状態が、設定された状態に適合するまで、香りを流すなどの所定の動作を行う。また、動作機器は、対象者の状態が、設定された状態に適合するまで、待つ、あるいは、ロボットの首を傾げるなどの所定の動作を行う。
本構成により、対象者が興奮しすぎている場合は落ち着かせる、対象者が緊張しすぎている場合はリラックスさせるなど、対象者を最適な状態に近づけた上で、雄象活動の支援を行うことができる。
【００３６】
一実施例において、対話型創造活動支援のプログラム４であり、上述の動作を実現するプログラム４である。
本実施例においては、タッチパネルなどの端末、あるいは、音声機器２３０を利用することにより、既存の機器を利用して、対話型創造活動支援を実施することができる。つまり、プログラムをダウンロードするだけで実施することも可能となる。本構成によれば、使用する機器が音声機器２３０など必要な部材を有していれば、新たな装置を別途準備する必要すらなく、対話による創造活動支援が実施できる。
【００３７】
本発明は以上の実施例に限定されることなく、本発明の趣旨を逸脱しない範囲で様々な実施例を含むことは言うまでもない。
例えば、外部４９０として、インターネットで接続された外部情報の代わりに、社内のネットワークなど外部情報から隔離されたデータベースなどを利用することもできる。本構成により、インターネットを通じた外部からの不正アクセスのリスクが抑えられると同時に、検索速度、さらには応答速度の向上が期待できる。また、予め整備されたデータベースを利用することもできる。本構成により、対象者に対して、より精度の高い応答が期待できる。
例えば、演算方法や製造方法などの方法に関しては、その順序も含めて比較し、提示する構成とすることができる。
【符号の説明】
【００３８】
１      対話型創造活動支援装置
３      対象
４      プログラム
２００  対話部
２１０  情報提示部
２１１  対象者反応確認部
２１２  表示装置
２２０  情報受信部
２２２  入力装置
２３０  音声機器
２４０  動作部
３００  対象設定部
３１０  対象調整部
３２０  対象記憶部
３２１  対象本体記憶部
３２２  対象深度記憶部
３３０  比較部
３３１  同義語記憶部
３３２  同義語修正部
４００  情報取得部
４１０  情報検索部
４２０  検索結果記憶部
４３０  外部接続切替部
４４０  該当情報記憶部
４５０  外部接続判断部
４９０  外部
４９１  外部の情報
５００  対象者状態判断部
５１０  対象者状態取得部
５１１  光学情報取得部
５１２  音声情報取得部
５２０  対象者状態適合化部
５２１  適合化動作部
【図１】
0006959659.tif 000002
【図２】
0006959659.tif 000003
【図３】
0006959659.tif 000004
【図４】
0006959659.tif 000005
【図５】
0006959659.tif 000006
【図６】
0006959659.tif 000007
【図７】
0006959659.tif 000008
【図８】
0006959659.tif 000009
【図９】
0006959659.tif 000010
【図１０】
0006959659.tif 000011
【図１１】
0006959659.tif 000012
【図１２】
0006959659.tif 000013
【図１３】
0006959659.tif 000014
【図１４】
0006959659.tif 000015
【図１５】
0006959659.tif 000016
【図１６】
0006959659.tif 000017
【図１７】
0006959659.tif 000018
【図１８】
0006959659.tif 000019
【図１９】
0006959659.tif 000020
【図２０】
0006959659.tif 000021
【図２１】
0006959659.tif 000022
【図２２】
0006959659.tif 000023
【図２３】
0006959659.tif 000024
【図２４】
0006959659.tif 000025
【図２５】
0006959659.tif 000026